(57)【要約】【課題】小型化が可能であるとともに、配線部の損傷を抑制することが可能な回動装置を提供することである。【解決手段】この回動装置は、モータ１４などを収納する収納部材１２を備えている。この収納部材１２は、回動部材１１と重なるようにベース部材６に固定されている。また、収納部材１２には、突出部１２ｅが設けられているとともに、上部を覆う蓋体１３が取り付けられている。また、蓋体１３には、回動部材１１の回動範囲を規制するボス部１３ｂが設けられており、ボス部１３ｂの側面には、収納部材１２の突出部１２ｅと係合する切欠部１３ｃが設けられている。そして、突出部１２ｅと、切欠部１３ｃとが係合することによって、蓋体１３の位置決めが行われる。このボス部１３ｂの切欠部１３ｃには、モータ１４に接続された配線部１６を、収納部１２ａから取り出すための第２切欠部１３２ｃが設けられている。【選択図】図２
2007293199.tif 000002
【特許請求の範囲】
【請求項１】
配線部が電気的に接続される駆動源を含む回動機構部と、前記回動機構部によって回動可能に設けられた回動部材とを備えた回動装置において、
前記回動部材と重なるように設けられるとともに、前記回動機構部を内部に収納する回動機構部収納部と、
前記回動機構部収納部を固定する固定部材と、
前記回動機構部収納部に装着されるとともに、突出部が一体的に設けられた装着部材とをさらに備え、
前記回動部材は、前記装着部材の前記突出部が挿入される開口部を含み、
前記装着部材の前記突出部は、前記回動部材が回動した際に、前記回動部材の前記開口部と当接することによって、前記回動部材の回動範囲を規制するように構成されるとともに、前記駆動源の近傍に配置され、
前記回動機構部収納部には、前記装着部材の位置決め機能を有する第１係合部が一体的に設けられ、
前記装着部材の前記突出部には、前記回動機構部収納部に設けられた前記第１係合部と係合するとともに、前記配線部を前記回動機構部収納部から取り出すための取出部を有する第２係合部が設けられていることを特徴とする、回動装置。
【請求項２】
配線部が電気的に接続される回動機構部と、
前記回動機構部によって回動可能に設けられた回動部材と、
前記回動部材と重なるように設けられるとともに、前記回動機構部を内部に収納する回動機構部収納部と、
前記回動機構部収納部を固定する固定部材と、
前記回動機構部収納部に装着される装着部材とを備え、
前記回動機構部収納部には、前記装着部材の位置決め機能を有する第１係合部が設けられ、
前記装着部材には、前記第１係合部と係合するとともに、前記配線部を前記回動機構部収納部から取り出すための取出部を有する第２係合部が設けられていることを特徴とする、回動装置。
【請求項３】
前記装着部材は、前記第２係合部が設けられた突出部を含み、
前記回動部材は、前記突出部が挿入される開口部を含み、
前記突出部は、前記回動部材が回動した際に、前記回動部材の前記開口部と当接することによって、前記回動部材の回動範囲を規制するように構成されていることを特徴とする、請求項２に記載の回動装置。
【請求項４】
前記第１係合部は、前記回動機構部収納部に一体的に設けられ、
前記突出部は、前記装着部材に一体的に設けられていることを特徴とする、請求項３に記載の回動装置。
【請求項５】
前記回動機構部は、前記回動部材を回動させるための駆動源を含むとともに、前記配線部は、前記駆動源に電気的に接続され、
前記突出部は、前記駆動源の近傍に配置されることを特徴とする、請求項３または４に記載の回動装置。
【請求項６】
請求項２〜５に記載の回動装置を備えることを特徴とする、映像表示装置。
【発明の詳細な説明】
【技術分野】
【０００１】
この発明は、回動装置及び回動装置を備えた映像表示装置に関する。
【背景技術】
【０００２】
従来、液晶テレビなどの映像表示部を保持するとともに、縦軸まわりに回動することによって、映像表示部の向きを変えることが可能な回動装置が知られている（たとえば、特許文献１および２参照）。
【０００３】
上記特許文献１には、ベース上に縦軸まわりに回転可能に設けられた旋回歯車と、旋回歯車上に縦軸まわりに回転可能に設けられた旋回フレームとを備えたターンテーブル（回動装置）が記載されている。このターンテーブルは、旋回フレームの外側にモータと減速機構とが設けられており、モータの駆動力が減速機構を介して旋回歯車に伝達され、これによって、旋回歯車が回転するように構成されている。また、旋回フレームは、旋回歯車の回転によって回転可能に構成されている。
【０００４】
また、上記特許文献２には、固定部と、固定部に対して縦軸まわりに回動可能に設けられた可動部とを備えた回動装置において、可動部の内部にモータおよび伝達機構が設けられるとともに、固定部に伝達機構のギアと噛合するラックギアが設けられた回動装置が記載されている。この回動装置は、可動部内部のモータの駆動力が伝達機構を介してラックギアに伝達され、これによって、可動部が縦軸まわりに回動する。また、可動部の上面には、モータに電力を供給するための配線ケーブル（配線部）が引き出されており、この配線ケーブルが可動部を覆うカバー部材に設けられた開口から外部に引き出されている。また、カバー部材の開口から引き出された配線ケーブルは、映像表示装置本体（映像表示部）から引き出された配線ケーブルと電気的に接続されており、これにより、映像表示装置本体（映像表示部）から可動部内部のモータに電力が供給される。
【０００５】
【特許文献１】特開平０６−２９２１０６号公報
【特許文献２】特開２００５−１０９６２６号公報
【発明の開示】
【発明が解決しようとする課題】
【０００６】
しかしながら、上記特許文献１に記載された従来のターンテーブル（回動装置）では、旋回歯車を回転させるための減速機構およびモータが、旋回フレームの外部に設けられているので、旋回歯車および旋回フレームを設置する領域の外側に、減速機構およびモータを設置する領域を設ける必要があるという不都合がある。このため、減速機構およびモータを設置する領域の分、ターンテーブルが大型化するという問題点がある。
【０００７】
また、上記特許文献２に記載された従来の回動装置では、モータおよび伝達機構を可動部材の内部に設けているため回動部材を小型化することが可能である一方、モータおよび伝達機構は、可動部とともに回動するので、可動部の上面に引き出された配線ケーブルも可動部とともに回動するという不都合がある。このため、可動部の回動時に配線ケーブルがカバー部材の開口などと接触することによって、配線ケーブルが損傷するという問題点がある。
【０００８】
この発明は、上記のような課題を解決するためになされたものであり、この発明の１つの目的は、小型化が可能であるとともに、配線部の損傷を抑制することが可能な回動装置、および、このような回動装置を備えた映像表示装置を提供することである。
【課題を解決するための手段】
【０００９】
この発明の第１の局面における回動装置は、配線部が電気的に接続される駆動源を含む回動機構部と、回動機構部によって回動可能に設けられた回動部材とを備えた回動装置において、回動部材と重なるように設けられるとともに、回動機構部を内部に収納する回動機構部収納部と、回動機構部収納部を固定する固定部材と、回動機構部収納部に装着されるとともに、突出部が一体的に設けられた装着部材とをさらに備え、回動部材は、装着部材の突出部が挿入される開口部を含み、装着部材の突出部は、回動部材が回動した際に、回動部材の開口部と当接することによって、回動部材の回動範囲を規制するように構成されるとともに、駆動源の近傍に配置され、回動機構部収納部には、装着部材の位置決め機能を有する第１係合部が一体的に設けられ、装着部材の突出部には、回動機構部収納部に設けられた第１係合部と係合するとともに、配線部を回動機構部収納部から取り出すための取出部を有する第２係合部が設けられている。
【００１０】
この発明の第２の局面における回動装置は、配線部が電気的に接続される回動機構部と、回動機構部によって回動可能に設けられた回動部材と、回動部材と重なるように設けられるとともに、回動機構部を内部に収納する回動機構部収納部と、回動機構部収納部を固定する固定部材と、回動機構部収納部に装着される装着部材とを備え、回動機構部収納部には、装着部材の位置決め機能を有する第１係合部が設けられ、装着部材には、第１係合部と係合するとともに、配線部を回動機構部収納部から取り出すための取出部を有する第２係合部が設けられている。
【００１１】
この第２の局面による回動装置は、上記のように、回動機構部を、回動機構部収納部の内部に収納するとともに、回動機構部収納部を、回動部材と重なるように固定部材に設けることによって、固定部材における回動機構部収納部の配置領域を、回動部材の配置領域と共有させることができるので、回動機構部を回動機構部収納部の内部に収納することによって、固定部材における回動機構部の配置領域も、回動部材の配置領域と共有させることができる。このため、固定部材の外側の領域に回動機構部を設置する場合と異なり、固定部材の外側の領域に回動機構部を設置する領域を設ける必要がなくなるので、その分、装置を小型化することができる。また、回動機構部を回動機構部収納部の内部に収納するとともに、回動機構部収納部を固定部材に固定することによって、回動部材の回動に伴って回動機構部収納部の内部に収納された回動機構部が回動するのを防止することができるので、回動部材が回動した場合でも、配線部を静止させておくことができる。これにより、配線部が引っ張られたりすることによって、配線部が損傷するのを抑制することができる。また、回動機構部収納部に、装着部材の位置決め機能を有する第１係合部を設けるとともに、装着部材に、第１係合部と係合するとともに、配線部を回動機構部収納部から取り出すための取出部を有する第２係合部を設けることによって、第２係合部が第１係合部と係合することにより、装着部材を回動機構部収納部の所定の位置に装着することができるとともに、第２係合部の取出部を介して、配線部を回動機構部収納部から取り出すことができるので、第２係合部とは別に取出部を設けることなく、配線部を回動機構部収納部から取り出すことができる。このため、第２係合部とは別に別途取出部を設ける必要がないので、その分、製造工数を削減することができる。
【００１２】
上記第２の局面による回動装置において、好ましくは、装着部材は、第２係合部が設けられた突出部を含み、回動部材は、突出部が挿入される開口部を含み、突出部は、回動部材が回動した際に、回動部材の開口部と当接することによって、回動部材の回動範囲を規制するように構成されている。このように構成すれば、突出部に設けた第２係合部の取出部を介して、配線部を回動機構部収納部から取り出すことができるとともに、突出部により、回動部材の回動範囲を規制することができるので、突出部以外の部分に取出部を有する第２係合部を設けた場合に比べて、装置の機構を簡略化することができる。その結果、装置を容易に小型化することができるとともに、製造工数を容易に削減することができる。
【００１３】
この場合において、好ましくは、第１係合部は、回動機構部収納部に一体的に設けられ、突出部は、装着部材に一体的に設けられている。このように構成すれば、回動機構部収納部に第１係合部を設けるとともに、装着部材に突出部を設けた場合でも、部品点数が増加するのを抑制することができる。
【００１４】
上記装着部材に突出部を備えた構成において、好ましくは、回動機構部は、回動部材を回動させるための駆動源を含むとともに、配線部は駆動源に電気的に接続され、突出部は、駆動源の近傍に配置される。このように構成すれば、第２係合部の取出部を、駆動源の近傍に配置することができるので、取出部を介して、容易に配線部を回動機構部収納部の外部に取り出すことができる。このため、配線部が回動機構部と接触するのを抑制することができるので、配線部と回動機構部との接触による配線部の損傷を容易に抑制することができる。
【００１５】
この発明の第３の局面における映像表示装置は、上記第２の局面による回動装置を備える。このように構成すれば、小型化が可能であるとともに、配線部の損傷を抑制することが可能な回動装置を備えた映像表示装置を得ることができる。
【発明の効果】
【００１６】
本発明の第１の局面による回動装置では、上記のように、回動機構部を、回動機構部収納部の内部に収納するとともに、回動機構部収納部を、回動部材と重なるように固定部材に設けることによって、固定部材における回動機構部収納部の配置領域を、回動部材の配置領域と共有させることができるので、回動機構部を回動機構部収納部の内部に収納することによって、固定部材における回動機構部の配置領域も、回動部材の配置領域と共有させることができる。このため、固定部材の外側の領域に回動機構部を設置する場合と異なり、固定部材の外側の領域に回動機構部を設置する領域を設ける必要がなくなるので、その分、装置を小型化することができる。また、回動機構部を回動機構部収納部の内部に収納するとともに、回動機構部収納部を固定部材に固定することによって、回動部材の回動に伴って回動機構部収納部の内部に収納された回動機構部が回動するのを防止することができるので、回動部材が回動した場合でも、配線部を静止させておくことができる。これにより、配線部が引っ張られたりすることによって、配線部が損傷するのを抑制することができる。また、回動機構部収納部に、装着部材の位置決め機能を有する第１係合部を設けるとともに、装着部材に、突出部を設け、かつ、突出部に、第１係合部と係合するとともに、配線部を回動機構部収納部から取り出すための取出部を有する第２係合部を設けることによって、第２係合部が第１係合部と係合することにより、装着部材を回動機構部収納部の所定の位置に装着することができるとともに、第２係合部の取出部を介して、配線部を回動機構部収納部から取り出すことができるので、第２係合部とは別に取出部を設けることなく、配線部を回動機構部収納部から取り出すことができる。このため、第２係合部とは別に別途取出部を設ける必要がないので、その分、製造工数を削減することができる。
【００１７】
また、本発明の第１の局面では、回動部材を、突出部が挿入される開口部を含むように構成するとともに、突出部を、回動部材が回動した際に、回動部材の開口部と当接することによって、回動部材の回動範囲を規制するように構成することによって、突出部に設けた第２係合部の取出部を介して、配線部を回動機構部収納部から取り出すことができるとともに、突出部により、回動部材の回動範囲を規制することができるので、突出部以外の部分に取出部を有する第２係合部を設けた場合に比べて、装置の機構を簡略化することができる。その結果、装置を容易に小型化することができるとともに、製造工数を容易に削減することができる。また、第１係合部を、回動機構部収納部に一体的に設け、突出部を、装着部材に一体的に設けることによって、回動機構部収納部に第１係合部を設けるとともに、装着部材に突出部を設けた場合でも、部品点数が増加するのを抑制することができる。また、突出部を、駆動源の近傍に配置することによって、第２係合部の取出部を、駆動源の近傍に配置することができるので、取出部を介して、容易に配線部を回動機構部収納部の外部に取り出すことができる。このため、配線部が回動機構部と接触するのを抑制することができるので、配線部と回動機構部との接触による配線部の損傷を容易に抑制することができる。
【発明を実施するための最良の形態】
【００１８】
以下、本発明を具体化した実施形態を図面に基づいて説明する。
【００１９】
図１は、本発明の一実施形態による回動装置を備えた映像表示装置を示した正面図である。図２は、図１に示した本発明の一実施形態による回動装置の全体斜視図である。図３〜図８は、図１に示した一実施形態による回動装置を説明するための図である。まず、図１〜図８を参照して、本実施形態による回動装置および回動装置を備えた映像表示装置の構造について説明する。
【００２０】
本実施形態による映像表示装置は、図１に示すように、映像表示装置本体部１と、映像表示装置本体部１を縦軸（Ｙ軸）まわりに回動させる回動装置１０と、映像表示装置本体部１と回動装置１０とを連結する連結部材２２と、回動装置１０を覆うカバー部材５と、回動装置１０を固定するベース部材６とを備えている。また、映像表示装置本体部１は、薄型の液晶テレビジョンであり、映像表示部２とスピーカ部３とを備えている。なお、ベース部材６は、本発明の「固定部材」の一例である。
【００２１】
また、回動装置１０は、図２および図３に示すように、回動部材１１と、収納部材１２と、収納部材１２に装着される蓋体１３とを備えている。また、回動部材１１は、図６に示すように、内周側にギア１１ｂを有するリング部材１１ａと、連結部材２２が取り付けられるディスク部材１１ｃとから構成されている。このディスク部材１１ｃには、連結部材２２をネジ止めするためのネジ穴１１ｄと、後述するボス部１３ｂが挿入される円弧状の開口部１１ｅとが設けられている。また、収納部材１２は、図３および図４に示すように、円筒形状を有し、回動部材１１を回動させる回動機構部を収納するための収納部１２ａを内部に有している。また、収納部材１２の内周側および外周側には、それぞれ、立壁１２ｂおよび１２ｃが設けられており、内周側の立壁１２ｂと外周側の立壁１２ｃとによって、回動部材１１のリング部材１１ａが装着される凹部１２ｄが周状に形成されている。なお、収納部材１２は、本発明の「回動機構部収納部」の一例であり、蓋体１３は、本発明の「装着部材」の一例である。
【００２２】
また、収納部材１２の収納部１２ａには、回動部材１１を回動させるための駆動源となるモータ１４が固定されている。このモータ１４の回転軸には、モータ１４の駆動力を後述する歯車１７に伝達するためのウォームギア１５が取り付けられており、モータ１４の一方の端部には、モータ１４に電力を供給するための配線部１６が電気的に接続されている。また、配線部１６の一方端には、映像表示装置本体部１の配線部（図示せず）と配線部１６とを電気的に接続するためのコネクタ１６ａが取り付けられている。また、収納部材１２の収納部１２ａには、モータ１４の回転力を減速して、所定の力でモータ１４の駆動力を伝達するための３枚の歯車１７、１８および１９が回転可能に設けられている。歯車１７は、大径ギア１７ａと、小径ギア１７ｂとが一体的に形成されているとともに、歯車１８は、大径ギア１８ａと、小径ギア１８ｂとが一体的に形成されている。また、歯車１７の大径ギア１７ａには、ウォームギア１５が噛合されており、歯車１７の小径ギア１７ｂには、歯車１８の大径ギア１８ａが噛合されている。また、歯車１８の小径ギア１８ｂには、歯車１９のギアが噛合されている。また、歯車１９は、ギアの一部が、収納部材１２の内周側の立壁１２ｂの切れ目から、収納部材１２の凹部１２ｄ側に突出するように配置されている。また、収納部１２ａには、ネジ２１（図５参照）によって蓋体１３を固定するためのネジ止め部２０が設けられている。なお、モータ１４は、本発明の「駆動源」の一例である。
【００２３】
また、収納部材１２の凹部１２ｄは、図４に示すように、回動部材１１のリング部材１１ａが回動可能に装着されるように構成されている。これにより、回動部材１１と収納部材１２とは、重なるように配置される。また、リング部材１１ａのギア１１ｂは、リング部材１１ａが収納部材１２の凹部１２ｄに装着された際に、凹部１２ｄ側に突出した歯車１９のギアと噛合するように構成されている。これにより、モータ１４の駆動力が、ウォームギア１５および歯車１７〜１９を介して、回動部材１１のリング部材１１ａに伝達され、回動部材１１が回動するように構成されている。なお、モータ１４、ウォームギア１５、および、歯車１７〜１９によって、回動機構部が構成されている。
【００２４】
また、蓋体１３は、図３および図５に示すように、収納部１２ａの上部を覆うように収納部材１２に装着されることによって、収納部１２ａにゴミなどが入らないようにする機能を有している。この蓋体１３は、穴部１３ａを介して、ネジ２１により収納部１２ａの上部に固定されるように構成されている。また、蓋体１３の外周側の所定の領域には、リブ状（円弧状）のボス部１３ｂが上方に突出するように一体的に設けられている。このボス部１３ｂは、回動部材１１の開口部１１ｅに挿入されるとともに、回動部材１１が回動した際に、開口部１１ｅの一方端部または他方端部と当接することによって、回動部材１１の回動範囲を規制する機能を有している。
【００２５】
ここで、本実施形態では、図４に示すように、収納部材１２の内周側であるとともに、モータ１４が配置されている近傍には、水平断面が台形形状を有する突出部１２ｅが収納部材１２と一体的に縦方向に延びるように形成されている。また、蓋体１３に設けられたボス部１３ｂの外周部側の側面には、図５および図７に示すように、収納部材１２の突出部１２ｅと係合する切欠部１３ｃが縦方向に延びるように設けられている。この切欠部１３ｃは、図７に示すように、水平断面が台形形状を有する第１切欠部１３１ｃと、水平断面が四角形状を有する第２切欠部１３２ｃとから構成されており、切欠部１３ｃの第１切欠部１３１ｃと収納部材１２の突出部１２ｅとが係合することによって、収納部材１２に対する蓋体１３の位置決めが行われるように構成されている。この際、収納部材１２の突出部１２ｅは、モータ１４が配置されている近傍に設けられているため、ボス部１３ｂの切欠部１３ｃ（第１切欠部１３１ｃ）と突出部１２ｅとが係合することによって、蓋体１３のボス部１３ｂがモータ１４の近傍に配置されるように蓋体１３が収納部材１２に装着される。
【００２６】
また、本実施形態では、切欠部１３ｃの第２切欠部１３２ｃは、蓋体１３が収納部材１２に装着された場合でも、収納部材１２の突出部１２ｅとは係合しないように構成されている。これにより、蓋体１３が収納部材１２に装着された際に、切欠部１３ｃの第２切欠部１３２ｃによって、ボス部１３ｂの上面から収納部材１２の収納部１２ａに達する貫通穴が形成され、第２切欠部１３２ｃを介することによって、収納部材１２の収納部１２ａからボス部１３ｂの上面に、配線部１６を取り出すことが可能となる。また、配線部１６の一方端部にコネクタ１６ａを設けた場合でも、切欠部１３ｃの第２切欠部１３２ｃによって、コネクタ１６ａの大きさよりも大きい形状の取出部（貫通穴）を設けることなく、配線部１６を収納部材１２の収納部１２ａから取り出すことが可能となる。なお、ボス部１３ｂは、本発明の「突出部」の一例であり、突出部１２ｅは、本発明の「第１係合部」の一例である。また、切欠部１３ｃは、本発明の「第２係合部」の一例であり、第２切欠部１３２ｃは、本発明の「取出部」の一例である。
【００２７】
また、連結部材２２は、図８に示すように、回動部材１１のディスク部材１１ｃに取り付けられる第１連結部材２２ａと、映像表示装置本体部１に取り付けられる第２連結部材２２ｂとから構成されている。また、第２連結部材２２ｂは、第１連結部材２２ａの支柱部２２１ａにネジ２３によって固定されるように構成されている。また、第１連結部材２２ａには、回動部材１１のディスク部材１１ｃに固定するための４つのネジ穴２２２ａが設けられているとともに、第２連結部材２２ｂには、映像表示装置本体部１にネジ（図示せず）によって固定するためのネジ穴２２１ｂが設けられている。
【００２８】
また、ベース部材６は、図１〜図５に示すように、収納部材１２を固定しておく機能を有している。また、カバー部材５は、図１に示すように、回動装置１０を覆うことによって、回動装置１０が外部から見えないようにする機能を有している。また、カバー部材５の所定の領域には、モータ１４に電気的に接続された配線部１６をカバー部材５の外部に引き出すための開口穴部５ａ（図９参照）が設けられている。
【００２９】
図９および図１０は、図１に示した本発明の一実施形態による回動装置を備えた映像表示装置の回動動作を説明するための平面図である。次に、図４、図９および図１０を参照して、本実施形態による回動装置１０を備えた映像表示装置の回動動作について説明する。
【００３０】
まず、初期状態では、図９に示すように、映像表示装置本体部１は、カバー部材５の延びる方向（矢印Ｌ方向）と平行（映像表示部２が正面を向いている状態）に位置している。この状態から、モータ１４を駆動させると、図４に示すように、ウォームギア１５が回転して、モータ１４の駆動力が歯車１７に伝達され、歯車１７が矢印Ａ１方向に回転する。これにより、歯車１８が矢印Ｂ１方向に回転するとともに、歯車１９が矢印Ｃ１方向に回転する。そして、歯車１９の矢印Ｃ１方向への回転により、リング部材１１ａ（回動部材１１）が矢印Ｄ１方向に回転する。また、回動部材１１が回動することにより、回動部材１１のディスク部材１１ｃに固定されている連結部材２２が縦軸まわりに回動し、図１０に示すように、映像表示装置本体部１が矢印Ｒ方向に回動する。これにより、映像表示装置本体部１の映像表示部２の向きを右方向に変えることが可能となる。その際、蓋体１３に設けられたボス部１３ｂは回動することなく固定されているので、回動部材１１を回動し続けると、ディスク部材１１ｃの開口部１１ｅの一方端部がボス部１３ｂと当接する。これにより、回動部材１１が所定の回動角度以上に矢印Ｒ方向に回動するのが規制される。
【００３１】
また、ボス部１３ｂは回動することなく固定されているので、ボス部１３ｂの上面から取り出されている配線部１６は、回動部材１１の回動にともなって左右に動くことなく、静止した状態が保たれる。このため、配線部１６が左右に動くことによって、カバー部材５の開口穴部５ａなどに引っかかり、配線部１６が引っ張られるのが抑制される。
【００３２】
なお、映像表示装置本体部１を上記と逆方向（左方向）に回動させる場合には、上記で説明した動作と逆の動作が行われる。この場合でも、上記と同様に、ボス部１３ｂの上面から取り出されている配線部１６は、回動部材１１の回動にともなって左右に動くことなく、映像表示装置本体部１の配線部１６と接続されている。
【００３３】
本実施形態では、上記のように、回動機構部を、収納部材１２の収納部１２ａに収納するとともに、収納部材１２を、回動部材１１と重なるようにベース部材６に設けることによって、ベース部材６における収納部材１２の配置領域を、回動部材１１の配置領域と共有させることができるので、回動機構部を収納部材１２の収納部１２ａに収納することによって、ベース部材６における回動機構部の配置領域も、回動部材１１の配置領域と共有させることができる。このため、ベース部材６の外側の領域に回動機構部を設置する場合と異なり、ベース部材６の外側の領域に回動機構部を設置する領域を設ける必要がなくなるので、その分、装置を小型化することができる。
【００３４】
また、本実施形態では、回動機構部を収納部材１２の収納部１２ａに収納するとともに、収納部材１２をベース部材６に固定することによって、回動部材１１の回動に伴って収納部材１２の収納部１２ａに収納された回動機構部が回動するのを防止することができるので、回動部材１１が回動した場合でも、配線部１６を静止させておくことができる。これにより、配線部１６が開口穴部５ａなどに引っかかり、配線部１６が引っ張られるなどによって、配線部１６が損傷するのを抑制することができる。
【００３５】
また、本実施形態では、収納部材１２に、蓋体１３の位置決め機能を有する突出部１２ｅを設けるとともに、蓋体１３に、ボス部１３ｂを設け、かつ、ボス部１３ｂに、突出部１２ｅと係合するとともに、配線部１６を収納部材１２の収納部１２ａから取り出すための第２切欠部１３２ｃを有する切欠部１３ｃを設けることによって、切欠部１３ｃが突出部１２ｅと係合することにより、蓋体１３を収納部材１２の所定の位置に装着することができるとともに、切欠部１３ｃの第２切欠部１３２ｃを介して、配線部１６を収納部材１２の収納部１２ａから取り出すことができるので、切欠部１３ｃとは別に配線部１６を取り出すための取出部を設けることなく、配線部１６を収納部材１２の収納部１２ａから取り出すことができる。このため、切欠部１３ｃとは別に別途取出部を設ける必要がないので、その分、製造工数を削減することができる。
【００３６】
また、本実施形態では、回動部材１１のディスク部材１１ｃに、ボス部１３ｂが挿入される開口部１１ｅを設けることによって、ボス部１３ｂにより、回動部材１１の回動範囲を規制することができるとともに、ボス部１３ｂに設けた切欠部１３ｃの第２切欠部１３２ｃを介して、配線部１６を収納部材１２の収納部１２ａから取り出すことができるので、ボス部１３ｂ以外の部分に第２切欠部１３２ｃを有する切欠部１３ｃを設けた場合に比べて、装置の機構を簡略化することができる。その結果、装置を容易に小型化することができるとともに、製造工数を容易に削減することができる。
【００３７】
また、本実施形態では、突出部１２ｅを、収納部材１２に一体的に設け、ボス部１３ｂを、蓋体１３に一体的に設けることによって、収納部材１２に突出部１２ｅを設けるとともに、蓋体１３にボス部１３ｂを設けた場合でも、部品点数が増加するのを抑制することができる。
【００３８】
また、本実施形態では、ボス部１３ｂを、モータ１４の近傍に配置することによって、切欠部１３ｃの第２切欠部１３２ｃを、モータ１４の近傍に配置することができるので、第２切欠部１３２ｃを介して、容易に配線部１６を収納部材１２の収納部１２ａから取り出すことができる。このため、配線部１６が回動機構部と接触するのを抑制することができるので、配線部１６と回動機構部との接触による配線部１６の損傷を容易に抑制することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、液晶テレビジョンを回動装置によって回動可能に取り付けた例を示したが、本発明はこれに限らず、液晶テレビジョン以外の映像表示装置を回動装置に取り付けてもよい。たとえば、プラズマテレビジョンなどの映像表示装置を回動装置に取り付けるようにしてもよい。
【００４１】
また、上記実施形態では、ボス部をモータの近傍に配置した例を示したが、本発明はこれに限らず、ボス部をモータの近傍以外の位置に配置するようにしてもよい。
【００４２】
また、上記実施形態では、収納部材に突出部を一体的に設けるとともに、蓋体にボス部を一体的に設けた例を示したが、本発明はこれに限らず、収納部材に突出部を別体に設けるとともに、蓋体にボス部を別体で設けるようにしてもよい。
【００４３】
また、上記実施形態では、回動部材の回動範囲を規制するためのボス部をリブ状（円弧状）に設けた例を示したが、本発明はこれに限らず、ボス部をリブ状（円弧状）以外の形状に形成してもよい。
【００４４】
また、上記実施形態では、配線部の端部にコネクタを設けた例を示したが、本発明はこれに限らず、配線部の端部にコネクタを設けないようにしてもよい。
【００４５】
また、上記実施形態では、収納部材の突出部と係合する切欠部を、回動部材の回動範囲を規制するボス部に設けた例を示したが、本発明はこれに限らず、収納部材の突出部と係合する切欠部を、ボス部以外の部分に設けてもよい。
【００４６】
また、上記実施形態では、収納部材を円筒形状に形成するとともに、回動部材をディスク状（円盤形状）に形成した例を示したが、本発明はこれに限らず、収納部材を円筒形状以外の形状に形成するとともに、回動部材をディスク状（円盤形状）以外の形状に形成してもよい。
【００４７】
また、上記実施形態では、モータの駆動力を伝達するために歯車を用いた例を示したが、本発明はこれに限らず、歯車以外に、たとえば、プーリとベルト、スプロケットとチェーン、または、歯車とこれらを組み合わせたものなどを用いるようにしてもよい。
【図面の簡単な説明】
【００４８】
【図１】本発明の一実施形態による回動装置を備えた映像表示装置を示した正面図である。
【図２】図１に示した本発明の一実施形態による回動装置の全体斜視図である。
【図３】図１に示した本発明の一実施形態による回動装置の内部構造を説明するための斜視図である。
【図４】図１に示した本発明の一実施形態による回動装置の内部構造を説明するための平面図である。
【図５】図１に示した本発明の一実施形態による回動装置から回動部材を省略した状態の平面図である。
【図６】図１に示した本発明の一実施形態による回動装置の回動部材を裏面側から見た斜視図である。
【図７】図１に示した本発明の一実施形態による回動装置の蓋体に設けたボス部の平面図である。
【図８】図１に示した本発明の一実施形態による回動装置と映像表示装置本体部とを連結する連結部材の全体斜視図である。
【図９】図１に示した本発明の一実施形態による回動装置を備えた映像表示装置の回動動作を説明するための平面図である。
【図１０】図１に示した本発明の一実施形態による回動装置を備えた映像表示装置の回動動作を説明するための平面図である。
【符号の説明】
【００４９】
１            映像表示装置本体部
５            カバー部材
６            ベース部材（固定部材）
１０          回動装置
１１          回動部材
１１ｅ        開口部
１２          収納部材（回動機構部収納部）
１２ａ        収納部
１２ｅ        突出部（第１係合部）
１３          蓋体（装着部材）
１３ｂ        ボス部（突出部）
１３ｃ        切欠部（第２係合部）
１３２ｃ      第２切欠部（取出部）
１４          モータ（駆動源）
１６          配線部
１６ａ        コネクタ
２２          連結部材
【図１】
2007293199.tif 000003
【図２】
2007293199.tif 000004
【図３】
2007293199.tif 000005
【図４】
2007293199.tif 000006
【図５】
2007293199.tif 000007
【図６】
2007293199.tif 000008
【図７】
2007293199.tif 000009
【図８】
2007293199.tif 000010
【図９】
2007293199.tif 000011
【図１０】
2007293199.tif 000012